(57)【特許請求の範囲】
【請求項１】
天冠外筒部と天冠内筒部とを備え、前記天冠外筒部の内周面は前記天冠内筒部の外周面から離間して配置されて前記天冠外筒部の内周面と前記天冠内筒部の外周面との間に環状空間を形成する天冠と、
筒体と、前記筒体内に形成されるとともに前記筒体に連結された筒状の取付体と、を備え、前記筒体の内周面と前記取付体の外周面との間に天冠を収容する収容空間を形成する本体と、を備え、
前記天冠は前記本体の前記収容空間に挿入され、前記天冠外筒部の外周面と前記筒体の内周面とが嵌合し前記天冠内筒部の内周面と前記取付体の外周面とが嵌合することにより前記天冠が前記本体に固定されるとともに、前記天冠外筒部の内周面と前記天冠内筒部の外周面との間に形成された前記環状空間を通じて前記本体の内部と前記天冠の外部との間で空気の流通を可能にすることを特徴とする筆記具。
【請求項２】
前記取付体は前記天冠内筒部の外端よりも外側に突き出ることを特徴とする請求項１に記載の筆記具。
【請求項３】
前記天冠外筒部の内端に形成されて、前記筒体の内周面と前記取付体の外周面との間に空気流通路を形成する切り欠きをさらに備えることを特徴とする請求項１又は２に記載の筆記具。
【請求項４】
前記本体は、前記筒体及び前記取付体を有するキャップ本体と、前記キャップ本体に装着される筆記具本体と、を含むことを特徴とする請求項１〜３のいずれか１項に記載の筆記具。
【請求項５】
天冠外筒部と天冠内筒部とを備え、前記天冠外筒部の内周面は前記天冠内筒部の外周面から離間して配置されて前記天冠外筒部の内周面と前記天冠内筒部の外周面との間に環状空間を形成する天冠と、
筒体と、前記筒体内に形成されるとともに前記筒体に連結された筒状の取付体と、を備え、前記筒体の内周面と前記取付体の外周面との間に天冠を収容する収容空間を形成するキャップ本体と、を備え、
前記天冠は前記キャップ本体の前記収容空間に挿入され、前記天冠外筒部の外周面と前記筒体の内周面とが嵌合し前記天冠内筒部の内周面と前記取付体の外周面とが嵌合することにより前記天冠が前記本体に固定されるとともに、前記天冠外筒部の内周面と前記天冠内筒部の外周面との間に形成された前記環状空間を通じて前記本体の内部と前記天冠の外部との間で空気の流通を可能にすることを特徴とする筆記具用キャップ。
【発明の詳細な説明】
【技術分野】
【０００１】
本発明は筆記具用キャップ及び筆記具に関する。
【背景技術】
【０００２】
例えばキャップ本体の先端や筆記具本体の後端には、筆記具の装飾としての役割やクリップの台座としての役割を有する天冠が装着される。例えば特許文献１には、筒体の上端に形成される規制壁部内に配置される突起に天冠が装着される。装着にあたって、天冠の取付孔の内周面は突起の外周面に嵌合する。こうして、天冠は所定の取付強度で筒体に取り付けられる。
【先行技術文献】
【特許文献】
【０００３】
【特許文献１】特開２００９−２１４５１５号公報
【特許文献２】特開２０１０−２４７４０５号公報
【特許文献３】特開平１１−２２１９９７号公報
【発明の概要】
【発明が解決しようとする課題】
【０００４】
一般に筆記具の全長は所定の大きさに決められている。キャップ内には筆記具本体の先端が進入することから、筆記具本体との干渉を避けるため天冠のキャップ本体内への進入長さをそれほど大きく設定することはできない。しかも、前述の天冠は取付孔の内周面のみで突起に装着されている。また、筆記具の外径も所定の大きさに決められていることから、キャップ本体と天冠との接触面積の増大を目的としてキャップ本体及び天冠の外径を大きくすることはできない。その結果、前述の天冠では十分な取付強度を確保することができない。加えて、特許文献１では、例えばキャップの誤飲時の窒息を防止する目的で形成されるべき空気流通路が一切考慮されていない。
【０００５】
本発明は、上記実情に鑑みてなされたものであって、天冠の十分な取付強度を確保するとともに空気を流通させる空気流通路を確保することができる筆記具用キャップ及び筆記具を提供することを目的とする。
【課題を解決するための手段】
【０００６】
上記目的を達成するために、本発明によれば、
天冠外筒部と天冠内筒部とを備え、前記天冠外筒部の内周面は前記天冠内筒部の外周面から離間して配置されて前記天冠外筒部の内周面と前記天冠内筒部の外周面との間に環状空間を形成する天冠と、
筒体と、前記筒体内に形成されるとともに前記筒体に連結された筒状の取付体と、を備え、前記筒体の内周面と前記取付体の外周面との間に天冠を収容する収容空間を形成する本体と、を備え、
前記天冠は前記本体の前記収容空間に挿入され、前記天冠外筒部の外周面と前記筒体の内周面とが嵌合し前記天冠内筒部の内周面と前記取付体の外周面とが嵌合することにより前記天冠が前記本体に固定されるとともに、前記天冠外筒部の内周面と前記天冠内筒部の外周面との間に形成された前記環状空間を通じて前記本体の内部と前記天冠の外部との間で空気の流通を可能にする筆記具が提供される。
【０００７】
こうした筆記具によれば、天冠は、天冠外筒部の外周面と天冠内筒部の内周面とで筒体の内周面と取付体の外周面とにそれぞれ嵌合されることによって本体に固定される。その結果、筆記具の全長や外径を大きく設定しなくても、例えば天冠内筒部の内周面のみで本体に固定される場合に比べて天冠は十分な取付強度で本体に固定されることが可能である。しかも、天冠外筒部の内周面と天冠内筒部の外周面との間に形成された環状空間が空気流通路を確立する。その結果、この空気流通路を介して本体の内部と天冠の外部との間で空気を流通させることが可能である。窒息事故の発生は確実に防止される。
【０００８】
本発明に係る筆記具では、前記取付体は前記天冠内筒部の外端よりも外側に突き出る。こうした構成によれば、外側への取付体の露出によって筆記具に装飾上の特徴を持たせることができる。しかも、ユーザは外側から取付体を視認することができる。例えば取付体の色を筆記具の色種と同一に設定することによってユーザは簡単に筆記具の色種を確認することができる。また、天冠に筆記具の色種と同一の色種のクリップが一体的に形成されている場合には、ユーザはクリップによっても筆記具の色種を確認することができる。
【０００９】
また、本発明に係る筆記具は、前記天冠外筒部の内端に形成されて、前記筒体の内周面と前記取付体の外周面との間に空気流通路を形成する切り欠きをさらに備える。こうした構成によれば、天冠外筒部の内端は切り欠きの外側で筒体内に大きく進入することが可能である。筆記具の全長及び外径は所定の大きさに制限されることから、筒体内の空間を有効に使用することができる。しかも、天冠外筒部の外周面は大きな面積で筒体の内周面に接触することができる。天冠ではさらに大きな取付強度が確保される。
【００１０】
また、本発明に係る筆記具では、前記本体は、前記筒体及び前記取付体を有するキャップ本体を備え、前記筒体には筆記具本体が装着される。
【００１１】
また、本発明によれば、
天冠外筒部と天冠内筒部とを備え、前記天冠外筒部の内周面は前記天冠内筒部の外周面から離間して配置されて前記天冠外筒部の内周面と前記天冠内筒部の外周面との間に環状空間を形成する天冠と、
筒体と、前記筒体内に形成されるとともに前記筒体に連結された筒状の取付体と、を備え、前記筒体の内周面と前記取付体の外周面との間に天冠を収容する収容空間を形成するキャップ本体と、を備え、
前記天冠は前記キャップ本体の前記収容空間に挿入され、前記天冠外筒部の外周面と前記筒体の内周面とが嵌合し前記天冠内筒部の内周面と前記取付体の外周面とが嵌合することにより前記天冠が前記本体に固定されるとともに、前記天冠外筒部の内周面と前記天冠内筒部の外周面との間に形成された前記環状空間を通じて前記本体の内部と前記天冠の外部との間で空気の流通を可能にする筆記具用キャップが提供される。
【発明の効果】
【００１２】
本発明によれば、筆記具の全長や外径を大きく設定しなくても天冠の十分な取付強度を確保することができるとともに空気を流通させる空気流通路を確保することができる筆記具用キャップ及び筆記具を提供することができる。しかも、天冠を装着する取付体が外側に露出するので、筆記具に装飾上の特徴を持たせることができるとともにユーザは外側から簡単に筆記具の色種を確認することができる。
【図面の簡単な説明】
【００１３】
【図１】本発明の一実施形態に係る筆記具の構成を概略的に示す側面図である。
【図２】本発明の一実施形態に係る筆記具の構成を概略的に示す垂直断面図である。
【図３】本発明の一実施形態に係る筆記具用キャップの構成を概略的に示す垂直断面図である。
【図４】図３の４−４線に沿った端面図である。
【図５】本発明の一実施形態に係る筆記具用キャップの構成を概略的に示す部分拡大垂直断面図である。
【図６】図５の６−６線に沿った端面図である。
【図７】図５の７−７線に沿った断面図である。
【図８】図７の８−８線に沿った端面図である。
【図９】本発明の一実施形態に係る筆記具用天冠の構成を概略的に示す側面図である。
【図１０】本発明の一実施形態に係る筆記具用キャップの構成を概略的に示す別の断面図である。
【発明を実施するための形態】
【００１４】
図１は本発明の一実施形態に係る筆記具１の構成を概略的に示す側面図である。筆記具１は例えば水性ボールペンである。筆記具１は、キャップ２と、キャップ２の後端から挿入されてキャップ２に装着される筆記具本体３と、を備える。キャップ２は、後端で筆記具本体３の先端部分を受け入れるキャップ本体４と、キャップ本体４の前端に挿入されて固定される天冠５と、天冠５に一体的に連結されるクリップ６と、を備える。クリップ６は、キャップ本体４の前端に形成された切り欠き７を通ってキャップ本体４の外側に突出する。天冠５は、筆記具１の装飾としての役割及びクリップ６の台座としての役割を有する。なお、クリップ６は天冠５と別体で形成されてもよい。なお、本明細書において、筆記具本体３の先端すなわちペン先側を筆記具本体３の「前」側と定義し、筆記具本体３の軸心に沿って筆記具本体３のペン先とは反対側を筆記具本体３の「後」側と定義する。
【００１５】
図２は、筆記具１の軸心を含む仮想平面に沿った垂直断面図である。図２を併せて参照すると、筆記具本体３は、インクを保持するとともに先端にチップを有するリフィル８と、リフィル８の後端部分を受け入れてリフィル８に装着される後軸９と、を備える。リフィル８には水性インクが充填される。その一方で、キャップ２のキャップ本体４は、円筒状の筒体１１と、筒体１１内に配置されて筒体１１に連結される取付体１２と、を備える。筒体１１と取付体１２とは相互に同軸に配置される。筒体１１は、後端でリフィル８の先端部分を受け入れるとともに前端で天冠５を受け入れる。なお、本明細書において、天冠５が装着される側をキャップ本体４の「前」側と定義し、筆記具本体３が挿入される側をキャップ本体４の「後」側と定義する。
【００１６】
筆記具本体３を構成するリフィル８及び後軸９と、キャップ本体４を構成する筒体１１及び取付体１２と、天冠５及びクリップ６とはそれぞれ、例えばポリカーボネート（ＰＣ）、アクリロニトリルブタジエンスチレン（ＡＢＳ）、ポリプロピレン（ＰＰ）、ポリアセタール（ＰＯＭ）、アクリル、ポリエチレンテレフタレート（ＰＥＴ）、及びポリエチレン（ＰＥ）等の樹脂材料から形成される。また、筒体１１及び取付体１２は一体成形により形成される。同様に、天冠５及びクリップ６は一体成形により形成される。
【００１７】
図３はキャップ２の部分拡大垂直断面図である。図３に示されるように、筒体１１は、両端で開放された円筒状の中空体から形成される。取付体１２は、筒体１１内で筒体１１の前端寄りに配置される。取付体１２の外周面は筒体１１の内周面から離間して配置される。取付体１２は、筒体１１の後端側に配置される円柱状の大径部１３と、大径部１３よりも小径に形成されて筒体１１の前端側に配置される円柱状の小径部１４と、大径部１３の前端及び小径部１４の後端の間に配置されて大径部１３及び小径部１４を連結するテーパ部１５と、を有する。テーパ部１５の径は大径部１３から小径部１４に向かうにつれて減少する。大径部１３、小径部１４及びテーパ部１５は一体的に形成される。大径部１３の後端には、リフィル８のチップを気密状態で収容する収容空間１６が形成される。収容空間１６は有底孔から形成される。
【００１８】
図４は図３の４−４線に沿った端面図である。図４を併せて参照すると、取付体１２は例えば４つのリブ１７で筒体１１の内周面に連結される。リブ１７は筒体１１の内周面及び取付体１２の大径部１３の外周面に一体的に形成される。ここでは、リブ１７は、筆記具１の軸心回りに９０°の角度間隔で相互に等間隔に配置される。こうしてリブ１７の外側で、筒体１１の内周面と大径部１３の外周面との間には環状空間すなわち内側空気流通路１８が形成される。内側空気流通路１８は筒体１１の前端と後端との間で空気の流通を可能にする。同時に、内側空気流通路１８は、後述の天冠５内に形成される外側空気流通路に接続される。
【００１９】
その一方で、図３から明らかなように、取付体１２の大径部１３、小径部１４及びテーパ部１５のそれぞれの外周面と筒体１１の内周面との間には天冠５を収容する収容空間１９が形成される。天冠５は、収容空間１９内に配置される例えば円筒状の天冠外筒部２１と、天冠外筒部２１内に配置される例えば円筒状の天冠内筒部２２と、を備える。天冠内筒部２２の外周面は天冠外筒部２１の内周面から離間して配置される。天冠５はキャップ本体４と同軸に配置される。天冠内筒部２２は天冠外筒部２１の外端寄りに配置される。キャップ本体４の前端で外側に露出する天冠内筒部２２の外端はキャップ本体４の軸心に沿って天冠外筒部２１の外端よりも外側に配置される。天冠外筒部２１は外周面で筒体１１の内周面に嵌合する。天冠内筒部２２は内周面で取付体１２の小径部１４の外周面に嵌合する。すなわち、天冠５は２箇所でキャップ本体４に嵌合する。天冠外筒部２１の内端は前述のリブ１７の手前まで延びる。こうして外筒部２１の内端は前述の内側空気流通路１８内に進入する。
【００２０】
図５はキャップ２の前端の部分拡大垂直断面図である。天冠外筒部２１の外周面には、天冠外筒部２１の軸心回りに途切れなく延びる環状の天冠側嵌合部２３が形成される。天冠側嵌合部２３は天冠外筒部２１の外周面から突出する。天冠側嵌合部２３は、筒体１１の内周面に形成されて筒体１１の軸心回りに途切れなく延びる環状のキャップ側嵌合部２４を乗り越えてキャップ側嵌合部２４に嵌合する。キャップ側嵌合部２４は筒体１１の内周面から突出する。こうして筒体１１の前端から天冠５の抜けが規制される。加えて、天冠外筒部２１の外端には天冠外筒部２１の軸心回りに途切れなく延びる外側フランジ２５が形成される。外側フランジ２５は筒体１１の前端の端面に接触する。天冠外筒部２１の外周面には前述のクリップ６が一体的に連結される。
【００２１】
取付体１２の小径部１４の前端すなわち外端は天冠内筒部２２の外端よりも外側に突き出る。天冠内筒部２２は小径部１４のみに装着される。天冠外筒部２１と天冠内筒部２２とは例えば４つのリブ２６で相互に連結される。リブ２６は天冠外筒部２１の内周面と天冠内筒部２２の外周面とに一体的に形成される。図６は図５の６−６線に沿った端面図である。図６を併せて参照すると、リブ２６は、筆記具１の軸心回りに９０°の角度間隔で相互に等間隔に配置される。こうしてリブ２６の外側で、天冠外筒部２１の内周面と天冠内筒部２２の外周面との間に環状空間すなわち外側空気流通路２７が形成される。外側空気流通路２７は、キャップ本体４の内部と天冠５の外部との間で空気の流通を可能にする。なお、リブ２６の角度位置は例えばキャップ本体４の軸心回りでリブ１７の角度位置と同一に設定される。ただし、リブ２６の角度位置はリブ１７の角度位置とずれていてもよい。
【００２２】
図５から明らかなように、リブ２６は、天冠外筒部２１の内周面に沿って天冠外筒部２１の内端に向かって延びる延在部２６ａを備える。すなわち、延在部２６ａは、天冠内筒部２２の内端よりも内側に向かってさらに延びる。延在部２６ａの内端は、天冠外筒部２１の内端よりも天冠外筒部２１の外端側に後退した位置で途切れる。延在部２６ａの一部は大径部１３の外周面に受け止められる。すなわち、リブ２６の延在部２６ａは大径部１３に接触する。こうした延在部２６ａは、後述するように、天冠５の取付強度の向上に寄与する。
【００２３】
図７は図５の７−７線に沿った断面図である。図７に示されるように、天冠外筒部２１の内端には、天冠外筒部２１の軸心回りに所定の角度範囲に切り欠き２８が形成される。図８及び図９を併せて参照し、天冠外筒部２１の内端には、天冠外筒部２１の軸心に対して軸対称に２つの切り欠き２８が形成される。切り欠き２８内には内側空気流通路１８が確保される。切り欠き２８の内端は大径部１３の前端よりも天冠外筒部２１の外端寄りに配置される。その結果、切り欠き２８の働きで、内側空気流通路１８と、天冠外筒部２１と小径部１４及びテーパ部１５との間に形成される接続路２９とが相互に接続される。接続路２９は外側空気流通路２７と相互に接続される。その結果、接続路２９を介して外側空気流通路２７及び内側空気流通路１８が相互に接続される。
【００２４】
以上のような筆記具１では、天冠外筒部２１の外周面が筒体１１の内周面に嵌合するとともに天冠内筒部２２の内周面が取付体１２の外周面に嵌合する。従って、例えば天冠５の軸心が筒体１１の軸心に対して傾く方向に天冠５に応力が作用すると、例えば筒体１１の前端を支点に天冠外筒部２１の外周面及び天冠内筒部２２の内周面が筒体１１の内周面及び取付体１２の外周面にそれぞれ押し当てられる。その結果、天冠５の傾きは規制される。従って、天冠５は、筆記具１の全長や外径を大きく設定しなくても、例えば天冠内筒部２２の内周面のみで取付体１２に受け止められる場合に比べて十分な取付強度でキャップ本体４に装着されることが可能である。
【００２５】
加えて、キャップ本体４内では天冠外筒部２１の内端に形成される切り欠き２８によって内側空気流通路１８が確保される。同時に、天冠外筒部２１の内端は切り欠き２８の外側で筒体１１内に大きく進入することが可能である。このため、筆記具１の全長及び外径が所定の大きさに制限される場合でも、筒体１１内の空間を有効に使用することができる。しかも、天冠外筒部２１の外周面は大きな面積で筒体１１の内周面に接触する。例えば図５から明らかなように、リブ２６の延在部２６ａが大径部１３の外周面に受け止められる。すなわち、延在部２６ａの部分で天冠外筒部２１の厚みが筒体１１の内周面と大径部１３の外周面との間の間隔に一致することから、天冠５ではさらに大きな取付強度が確保される。
【００２６】
さらに、天冠５では、天冠外筒部２１の内周面と天冠内筒部２２の外周面との間に外側空気流通路２７が形成される。その結果、例えば幼児の誤飲によってキャップ２が幼児の気管支内に詰まったとしても、例えば図１０に示されるように、キャップ２の先端すなわち外側空気流通路２７から接続路２８、内側空気流通路１８を通ってキャップ２の後端すなわち筒体１１の後端まで空気が流通することができる。反対に、キャップ２の後端すなわち筒体１１の後端から内側空気流通路１８、接続路２９を通ってキャップ２の前端すなわち外側空気流通路２７まで空気が流通することができる。従って、窒息事故の発生は確実に防止される。
【００２７】
また、取付体１２は筒体１１と一体成形されることから、取付体１２は筒体１１と簡単に同色で形成されることが可能である。取付体１２の小径部１４は天冠内筒部２２の外端よりも外側に突き出ていることから、筆記具１にデザイン上の特徴を持たせることができる。しかも、ユーザはキャップ２の前端で取付体１２を視認することができる。従って、例えばリフィル８内に充填されるインクと筒体１１及び取付体１２が同色から形成される場合、ユーザは、キャップ２の前端のみから筆記具１を見た場合であっても筆記具１の色種を確認することができる。しかも、筆記具１の色種と同一の色種のクリップ６が一体的に形成されれば、ユーザはクリップ６によっても筆記具の色種を確認することができる。また、取付体１２は筒体１１に一体的に形成されていることから、筆記具１では部品点数の増大を回避することが可能である。
【００２８】
本発明は、以上のような筆記具１に代えて、キャップ２を有しない筆記具１にも適用されることが可能である。この場合、後軸９には前述の筒体１１及び取付体１２と同様の構造が形成される。天冠５は、後軸９すなわち筒体１１の後端に形成される開放端に装着される。天冠５には前述のクリップ６が一体的に形成されてもよい。その他、本発明に係る筆記具１には、前述の水性ボールペンに代えて、例えばゲルインクボールペン、油性ボールペン、サインペンなどの他の筆記具が含まれることは言うまでもない。
【符号の説明】
【００２９】
１    筆記具
２    キャップ
３    筆記具本体
４    本体（キャップ本体）
５    天冠
１１    筒体
１２    取付体
１８    空気流通路（内側空気流通路）
１９    収容空間
２１    天冠外筒部
２２    天冠内筒部
２７    環状空間（外側空気流通路）
２８    切り欠き
【図１】
0005748486.tif 000002
【図２】
0005748486.tif 000003
【図３】
0005748486.tif 000004
【図４】
0005748486.tif 000005
【図５】
0005748486.tif 000006
【図６】
0005748486.tif 000007
【図７】
0005748486.tif 000008
【図８】
0005748486.tif 000009
【図９】
0005748486.tif 000010
【図１０】
0005748486.tif 000011